(57)【特許請求の範囲】
【請求項１】
排ガスフード内を点検する方法であって、前記排ガスフードの内径方向に折り畳み可能または縮小可能な複数段の水平デッキと、該水平デッキにそれぞれ２個ずつ設けられた複数のガイドローラと、前記水平デッキを前記排ガスフード内に搬入する際に、前記ガイドローラを介して前記水平デッキを前記排ガスフードの内部に案内する一対のガイドレールと、前記排ガスフードを点検するための架台上に前記ガイドレールの下端部を固定する一対のレール固定具と、前記排ガスフードの上端部で前記ガイドレールの間隔を一定に保持する間隔保持具とを備えてなる排ガスフード内点検用足場を用いて前記排ガスフード内を点検することを特徴とする排ガスフード内点検方法。
【請求項２】
排ガスフード内を点検するときに用いられる排ガスフード内点検用足場であって、前記排ガスフードの内径方向に折り畳み可能または縮小可能な複数段の水平デッキと、該水平デッキにそれぞれ２個ずつ設けられた複数のガイドローラと、前記水平デッキを前記排ガスフード内に搬入する際に、前記ガイドローラを介して前記水平デッキを前記排ガスフードの内部に案内する一対のガイドレールと、前記排ガスフードを点検するための架台上に前記ガイドレールの下端部を固定する一対のレール固定具と、前記排ガスフードの上端部で前記ガイドレールの間隔を一定に保持する間隔保持具とを備えてなることを特徴とする排ガスフード内点検用足場。
【発明の詳細な説明】
【技術分野】
【０００１】
本発明は、転炉内で発生した転炉ガスを排ガスとして排気する排ガスフードのような大径の排ガスフードの内部を点検する方法と同方法に用いられる排ガスフード内点検用足場に関するものである。
【背景技術】
【０００２】
一般に、転炉内で発生した転炉ガスを排ガスとして排気する排ガスフードは、図１６に示すように、転炉の炉口を覆うスカート部１１１と、このスカート部１１１に流入した転炉ガスを垂直に吸い上げる円筒状の下部フード部１１２と、この下部フード部１１２からの転炉ガスを斜め上方に吸い上げる円筒状の上部フード部１１３とからなり、これらスカート部１１１、下部フード部１１２及び上部フード部１１３の各内壁は排熱回収用の冷却水が流通する熱交換チューブから形成されている（例えば、特許文献１参照）。
【０００３】
このような排ガスフード１１は、転炉内で発生した転炉ガスの熱エネルギーをボイラー等の熱源として回収できるが、転炉ガスに含まれるダストによって熱交換チューブが磨耗するため、熱交換チューブの磨耗が著しく進行した場合には冷却水漏れが生じるおそれがある。そこで、冷却水漏れ等の発生を防止するため、排ガスフード１１の内部を定期的に点検することが従来から行われている。
しかしながら、排ガスフードの内部を隈なく点検するためには、排ガスフードの内部に点検用の足場を構築する必要があり、しかも構築した足場を点検終了後に解体しなければならないため、多くの労力と時間を要していた。
【０００４】
なお、特許文献２あるいは特許文献３に開示された足場を用いて排ガスフードの内部を点検することも考えられるが、特許文献２に開示されたものは連結ワイヤーにより連結された複数の作業足場を複数本の吊りワイヤーにより煙突の頂上付近から吊り下げる方式であるため、点検対象が煙突などのようにほぼ鉛直な形状のものについては適用できるが、排ガスフードのように、大きく傾斜した形状のものについては適用が困難である。
一方、特許文献３に開示されたものは大きく傾斜した管路にも適用できるが、下部から積み上げていく方式であるため、設置に長時間を要するという問題がある。
【先行技術文献】
【特許文献】
【０００５】
【特許文献１】特開２００９−２３３７６６号公報（００１３−００１５）
【特許文献２】特開２００２−１２９７４１号公報
【特許文献３】特開２００２−１７４０２５号公報
【発明の概要】
【発明が解決しようとする課題】
【０００６】
本発明は上述した問題点に鑑みてなされたものであり、その目的は、人が入れる内径を有する大径の排ガスフードの内部を多くの労力や時間を要することなく点検することができ、特に排ガスフードが大きく傾斜している場合に用いて好適な排ガスフード内点検方法および同方法に用いられる排ガスフード内点検用足場を提供することにある。
【課題を解決するための手段】
【０００７】
上記課題を解決するために、本発明の請求項１に係る発明は、排ガスフード内を点検する方法であって、前記排ガスフードの内径方向に折り畳み可能または縮小可能な複数段の水平デッキと、該水平デッキにそれぞれ２個ずつ設けられた複数のガイドローラと、前記水平デッキを前記排ガスフード内に搬入する際に、前記ガイドローラを介して前記水平デッキを前記排ガスフードの内部に案内する一対のガイドレールと、前記排ガスフードを点検するための架台上に前記ガイドレールの下端部を固定する一対のレール固定具と、前記排ガスフードの上端部で前記ガイドレールの間隔を一定に保持する間隔保持具とを備えてなる排ガスフード内点検用足場を用いて前記排ガスフード内を点検することを特徴とする。
【０００８】
本発明の請求項２に係る発明は、排ガスフード内を点検するときに用いられる排ガスフード内点検用足場であって、前記排ガスフードの内径方向に折り畳み可能または縮小可能な複数段の水平デッキと、該水平デッキにそれぞれ２個ずつ設けられた複数のガイドローラと、前記水平デッキを前記排ガスフード内に搬入する際に、前記ガイドローラを介して前記水平デッキを前記排ガスフードの内部に案内する一対のガイドレールと、前記排ガスフードを点検するための架台上に前記ガイドレールの下端部を固定する一対のレール固定具と、前記排ガスフードの上端部で前記ガイドレールの間隔を一定に保持する間隔保持具とを備えてなることを特徴とする。
【発明の効果】
【０００９】
本発明によれば、排ガスフードの内部を点検する際に点検用の足場を排ガスフードの内部に構築したり、構築した足場を点検終了後に解体したりする必要がないので、例えば転炉内で発生した転炉ガスを排ガスとして排気する排ガスフードのような大径の排ガスフードの内部を多くの労力や時間を要することなく点検することができる。
【図面の簡単な説明】
【００１０】
【図１】本発明に係る排ガスフード内点検方法に用いられる排ガスフード内点検用足場の一例を示す正面図である。
【図２】図１に示す排ガスフード内点検用足場の側面図である。
【図３】図１のＡ−Ａ断面を示す図である。
【図４】図３のＢ−Ｂ断面を示す図である。
【図５】図１のＣ−Ｃ断面を示す図である。
【図６】図５のＤ−Ｄ断面を示す図である。
【図７】図１のＥ−Ｅ断面を示す図である。
【図８】図７のＦ−Ｆ断面を示す図である。
【図９】図１のＧ−Ｇ断面を示す図である。
【図１０】図９のＨ−Ｈ断面を示す図である。
【図１１】図１のＩ−Ｉ断面を示す図である。
【図１２】図１１のＪ−Ｊ断面を示す図である。
【図１３】図１に示すレール固定具の断面図である。
【図１４】図１のＫ−Ｋ断面を示す図である。
【図１５】図１に示す排ガスフード内点検用足場の使用方法を説明するための図である。
【図１６】転炉の排ガスフードを示す図である。
【発明を実施するための形態】
【００１１】
以下、図面を参照して本発明の実施の形態について説明する。
本発明は例えば図１及び図２に示す排ガスフード内点検用足場１２を用いて排ガスフード１１の内部を点検する方法であって、図１及び図２に示される排ガスフード内点検用足場１２は水平デッキ１３，１４，１５，１６，１７、ガイドレール１９Ａ，１９Ｂ、レール固定具２０Ａ，２０Ｂおよび間隔保持具２２を備えて構成されている。
【００１２】
水平デッキ１３〜１７は排ガスフード１１内を点検する点検員の足場を形成するものであって、これらの水平デッキ１３〜１７のうち下から１段目の水平デッキ１３は複数本（例えば４本）の支持脚１３１と、これらの支持脚１３１により水平に支持された中央デッキ１３２（図３参照）と、この中央デッキ１３２上に立設された複数本（例えば４本）の支柱１３３とを有し、これら支柱１３３の上端部は水平デッキ１４の下面に溶接接合されている。
【００１３】
また、水平デッキ１３は中央デッキ１３２の周囲に複数（例えば８つ）の折り畳みデッキ１３４（図３参照）を有し、これらの折り畳みデッキ１３４は、図４に示すように、排ガスフード１１の内径方向に折り畳み可能となっている。さらに、水平デッキ１３は複数（例えば８つ）の補助デッキプレート１３５（図３参照）を有し、これらの補助デッキプレート１３５は隣り合う２つの折り畳みデッキ１３４，１３４の間に取り外し可能に架設されている。
水平デッキ１３〜１７のうち下から２段目の水平デッキ１４は、水平デッキ１３の支柱１３３により水平に支持された中央デッキ１４２（図５参照）と、この中央デッキ１４２上に設けられた複数本（例えば４本）の支柱１４３とを有し、これらの支柱１４３は、図６に示すように、排ガスフード１１の内径方向に折り畳み可能となっている。
【００１４】
また、水平デッキ１４は中央デッキ１４２の周囲に複数（例えば８つ）の折り畳みデッキ１４４（図５参照）を有し、これらの折り畳みデッキ１４４は、図６に示すように、排ガスフード１１の内径方向に折り畳み可能となっている。さらに、水平デッキ１４は複数（例えば８つ）の補助デッキプレート１４５（図５参照）を有し、これらの補助デッキプレート１４５は隣り合う２つの折り畳みデッキ１４４，１４４の間に取り外し可能に架設されている。
水平デッキ１３〜１７のうち下から３段目の水平デッキ１５は、水平デッキ１４の支柱１４３により水平に支持された中央デッキ１５２（図７参照）と、この中央デッキ１５２上に立設された複数本（例えば４本）の支柱１５３とを有し、これら支柱１５３の上端部は水平デッキ１６の下面に溶接接合されている。
【００１５】
また、水平デッキ１５は中央デッキ１５１の周囲に複数（例えば８つ）の折り畳みデッキ１５４（図７参照）を有し、これらの折り畳みデッキ１５４は、図８に示すように、排ガスフード１１の内径方向に折り畳み可能となっている。さらに、水平デッキ１５は複数（例えば８つ）の補助デッキプレート１５５（図７参照）を有し、これらの補助デッキプレート１５５は隣り合う２つの折り畳みデッキ１５４，１５４の間に取り外し可能に架設されている。
水平デッキ１３〜１７のうち下から４段目の水平デッキ１６は、水平デッキ１５の支柱１５３により水平に支持された中央デッキ１６２（図９参照）と、この中央デッキ１６２上に立設された複数本（例えば４本）の支柱１６３とを有し、これら支柱１６３の上端部は水平デッキ１７の下面に溶接接合されている。
【００１６】
また、水平デッキ１６は中央デッキ１６２の周囲に複数（例えば８つ）の折り畳みデッキ１６４（図９参照）を有し、これらの折り畳みデッキ１６４は、図１０に示すように、排ガスフード１１の内径方向に折り畳み可能となっている。さらに、水平デッキ１６は複数（例えば８つ）の補助デッキプレート１６５（図９参照）を有し、これらの補助デッキプレート１６５は互いに隣り合う２つの折り畳みデッキ１６４，１６４の間に取り外し可能に架設されている。
【００１７】
水平デッキ１３〜１７のうち下から５段目の水平デッキ１７は、水平デッキ１６の支柱１６３により水平に支持された中央デッキ１７２（図１１参照）と、この中央デッキ１７２の周囲に配設された複数（例えば４つ）の折り畳みデッキ１７４とを有し、これらの折り畳みデッキ１７４は、図１２に示すように、排ガスフード１１の内径方向に折り畳み可能となっている。さらに、水平デッキ１７は複数（例えば３つ）の補助デッキプレート１７５（図１１参照）を有し、これらの補助デッキプレート１７５は隣り合う２つの折り畳みデッキ１７４，１７４の間に取り外し可能に架設されている。
【００１８】
ガイドレール１９Ａ，１９Ｂは水平デッキ１３〜１７にそれぞれ２個ずつ設けられたガイドローラ１８（図３〜図１２参照）を介して水平デッキ１３〜１７を排ガスフード１１の内部に案内するものであって、例えばＨ形鋼から形成されていると共に、ガイドローラ１８を排ガスフード１１の内部に案内する案内溝１９１（図１４参照）をそれぞれ有している。また、ガイドレール１９Ａ，１９Ｂはレール固定具２０Ａ，２０Ｂに下端部を固定するための軸部１９２（図１３参照）をそれぞれ有し、各軸部１９２には抜け止め用のピン挿入孔１９３が軸部１９２の径方向に沿って貫設されている。
【００１９】
レール固定具２０Ａ，２０Ｂは排ガスフード１１を点検するための架台２１上にガイドレール１９Ａ，１９Ｂの下端部を固定するものであって、図１３に示すように、架台２１の所定位置に設けられた円筒部２１１と嵌合する軸部２０１を下端部にそれぞれ有している。また、レール固定具２０Ａ，２０Ｂはガイドレール１９Ａ，１９Ｂの軸部１９２と嵌合する円筒部２０２を上端部にそれぞれ有し、各円筒部２０２には、軸部１９２のピン挿入孔１９３に抜け止めピンを挿入するための貫通孔（図示せず）が穿設されている。
【００２０】
間隔保持具２２は排ガスフード１１の上端部でガイドレール１９Ａ，１９Ｂの間隔を一定に保持するものであって、例えばガイドレール１９Ａ，１９Ｂの上端部を支持するレール支持枠２２１（図１４参照）と、このレール支持枠２２１を介してガイドレール１９Ａ，１９Ｂを排ガスフード１１の上端部に固定するレール固定具２２２（図１及び図２参照）とから構成されている。
間隔保持具２２のレール支持枠２２１は折り畳みデッキ１３４〜１７４が排ガスフード１１の内径側に折り畳まれた状態の水平デッキ１３〜１７と干渉しない大きさで矩形状に形成されていて、このレール支持枠２２１の内側面に、ガイドレール１９Ａ，１９Ｂの上端部が案内溝１９１を対向させて溶接されている。
【００２１】
このような排ガスフード内点検用足場１２を用いて排ガスフード１１の内部を点検する場合には、排ガスフード１１が載置される架台２１上の所定位置にレール固定具２０Ａ，２０Ｂを固定した後、架台２１上の所定位置に排ガスフード１１を載置する。次に、レール支持枠２２１の内側面にガイドレール１９Ａ，１９Ｂの上端部を溶接した後、図１５(ａ)に示すように、排ガスフード１１の内部にガイドレール１９Ａ，１９Ｂを天井クレーンにより吊り下ろす。そして、ガイドレール１９Ａ，１９Ｂの軸部１９２をレール固定具２０Ａ，２０Ｂの円筒部２０２に挿入し、軸部１９２の抜け止め孔１９３に抜け止めピン（図示せず）を挿入してガイドレール１９Ａ，１９Ｂの下端部をレール固定具２０Ａ，２０Ｂに固定する。
【００２２】
このようにしてガイドレール１９Ａ，１９Ｂの下端部をレール固定具２０Ａ，２０Ｂに固定したならば、図１５（ｂ）に示すように、ガイドレール１９Ａ，１９Ｂの上端部を間隔保持具２２のレール固定具２２２により排ガスフード１１の上端に固定し、ガイドレール１９Ａ，１９Ｂの間隔を間隔保持具２２により一定に保持する。
ガイドレール１９Ａ，１９Ｂの間隔を間隔保持具２２により一定に保持したならば、水平デッキ１３，１４に設けられたガイドローラ１８をガイドレール１９Ａ，１９Ｂの案内溝１９１に係合させる。そして、水平デッキ１３，１４の折り畳みデッキ１３４，１４４を排ガスフード１１の内径側に折り畳んだ状態で水平デッキ１３，１４を天井クレーンにより排ガスフード１１の内部に吊り下ろし、水平デッキ１３の支持脚１３１を架台２１の上面に接触させる。
【００２３】
水平デッキ１３の支持脚１３１が架台２１の上面に接触したならば、排ガスフード１１の内径側に折り畳まれていた折り畳みデッキ１３４，１４４を排ガスフード１１の外径側に拡げ、さらに水平デッキ１４の上面側に倒されていた支柱１４３を垂直に起立させる。そして、水平デッキ１５，１６，１７に設けられたガイドローラ１８をガイドレール１９Ａ，１９Ｂに係合させた後、水平デッキ１５，１６，１７の折り畳みデッキ１５４，１６４，１７４を排ガスフード１１の内径側に折り畳んだ状態で水平デッキ１５，１６，１７を天井クレーンにより排ガスフード１１の内部に吊り下ろす。
【００２４】
排ガスフード１１の内部に吊り下ろされた水平デッキ１５が水平デッキ１４の支柱１４３により水平に支持されたならば、排ガスフード１１の内径側に折り畳まれていた折り畳みデッキ１５４，１６４，１７４を排ガスフード１１の外径側に拡げる。そして、隣り合う２つの折り畳みデッキ間に補助デッキプレート１３５，１４５，１５５，１６５，１７５を架設して排ガスフード１１の内部点検を行う。
【００２５】
上述のように、排ガスフード１１の内部を点検するに際して、排ガスフード１１の内径方向に折り畳み可能な複数段の水平デッキ１３〜１７と、水平デッキ１３〜１７にそれぞれ２個ずつ設けられた複数のガイドローラ１８と、ガイドローラ１８を介して水平デッキ１３〜１７を排ガスフード１１の内部に案内する一対のガイドレール１９Ａ，１９Ｂと、排ガスフード１１を点検するための架台２１上にガイドレール１９Ａ，１９Ｂの下端部を固定する一対のレール固定具２０Ａ，２０Ｂと、排ガスフード１１の上端部でガイドレール１９Ａ，１９Ｂの間隔を一定に保持する間隔保持具２２とからなる排ガスフード内点検用足場１２を用いると、ガイドレール１９Ａ，１９Ｂに沿って水平デッキ１３〜１７を排ガスフード１１の内部に吊り下ろすことにより、排ガスフード１１の内部に点検用足場を簡単に構築することができる。従って、点検用の足場を排ガスフード１１の下から積み上げたり、構築した足場を点検終了後に解体したりする必要がないので、排ガスフード１１の内部を多くの労力や時間を要することなく点検することができる。
上述した本発明の一実施形態では、排ガスフード内点検用足場１２の水平デッキ１３〜１７として排ガスフード１１の内径方向に折り畳み可能なものを用いたが、排ガスフード１１の内径方向にスライド式に縮小可能な複数段の水平デッキを用いてもよい。
【符号の説明】
【００２６】
１１…排ガスフード
１１１…スカート部
１１２…下部フード部
１１３…上部フード部
１２…排ガスフード内点検用足場
１３，１４，１５，１６，１７…水平デッキ
１３１…支持脚
１３２，１４２，１５２，１６２，１７２…中央デッキ
１３３，１４３，１５３，１６３…支柱
１３４，１４４，１５４，１６４，１７４…折り畳みデッキ
１３５，１４５，１５５，１６５，１７５…補助デッキプレート
１８…ガイドローラ
１９Ａ，１９Ｂ…ガイドレール
２０Ａ，２０Ｂ…レール固定具
２２…間隔保持具
【図１】
0005672831.tif 000002
【図２】
0005672831.tif 000003
【図３】
0005672831.tif 000004
【図４】
0005672831.tif 000005
【図５】
0005672831.tif 000006
【図６】
0005672831.tif 000007
【図７】
0005672831.tif 000008
【図８】
0005672831.tif 000009
【図９】
0005672831.tif 000010
【図１０】
0005672831.tif 000011
【図１１】
0005672831.tif 000012
【図１２】
0005672831.tif 000013
【図１３】
0005672831.tif 000014
【図１４】
0005672831.tif 000015
【図１５】
0005672831.tif 000016
【図１６】
0005672831.tif 000017